(57)【要約】【課題】藻場の単位面積当たりの藻の実質的な生育面積をより大きく確保可能な縦型藻礁を提供する。【解決手段】本発明の縦型藻礁１Ａは、複数の管２（２Ａ、２Ｂ、２Ｃ）を床盤３から立設させて配設し、管２（２Ａ、２Ｂ、２Ｃ）の上端の開口部２ｋを通して管（２Ａ、２Ｂ、２Ｃ）の内部に光および海水が入ることを可能に構成した。この構成により、立設させたものが管２（２Ａ、２Ｂ、２Ｃ）であるので、内部が詰まっている柱状体を立設させた場合と比較して、藻場の単位面積当たりの藻類の実質的な生育面積をより大きく確保できる。【選択図】図１
2014000001.tif 000002
【特許請求の範囲】
【請求項１】
複数の管を床盤から立設させて配設し、管の上端の開口部を通して管の内部に光および海水が入ることを可能に構成したことを特徴とする縦型藻礁。
【請求項２】
管が鋳鉄管であることを特徴とする請求項１記載の縦型藻礁。
【請求項３】
少なくとも一部の複数本の管の下端部を床盤から下方に突出させた状態で配設していることを特徴とする請求項１または２に記載の縦型藻礁。
【請求項４】
管は、一端部に受口が形成され、他端部に挿口が形成されており、
床盤から下方に突出する管の下端部が受口となるように配設されていることを特徴とする請求項３に記載の縦型藻礁。
【請求項５】
管における床盤の上面の近傍露出箇所に、管の内部と外部とを貫通させる孔部が形成されていることを特徴とする請求項１〜４の何れか１項に記載の縦型藻礁。
【請求項６】
産卵用の棒状体を床盤から立設させていることを特徴とする請求項１〜５の何れか１項に記載の縦型藻礁。
【発明の詳細な説明】
【技術分野】
【０００１】
本発明は、藻の生育に適した縦型の藻礁に関する。
【背景技術】
【０００２】
衰退した藻場の再生などを目的として、藻類を繁殖させる藻礁を海底などに設置することが既に行われている。従来の藻礁として、平板状や矩形状のコンクリート製ブロックなどから構成したものがある。しかし、このような構造の藻礁では、藻類の生育可能な面が単なる平面であるので、藻場の単位面積に対する藻類の実質的な生育面積が比較的小さく、そのため、生育する藻類の量も多くは望めないという短所がある。
【０００３】
このような短所を改善可能なものとして、特許文献１などには、図８に示すような、平板状のコンクリート製の床盤（基盤）５１の上に円柱や角柱などのコンクリート製の複数の柱状体５２を鉛直に立設させてなるいわゆる縦型の藻礁５０が開示されている。なお、特許文献１では、藻礁５０を設置した藻場を海中林と称している。
【０００４】
この縦型の藻礁５０によれば、床盤（基盤）５１から、藻類を生育可能な複数の柱状体５２が鉛直方向（上下方向）に延びており、藻礁５０が立体的および林立的に構成されている。したがって、単なる矩形や平板形状のコンクリート製ブロックからなる藻礁と比較すると、藻場の単位面積当たりの藻類の実質的な生育面積を増加させることが可能となる。
【先行技術文献】
【特許文献】
【０００５】
【特許文献１】特開２０００−４７１０号公報
【発明の概要】
【発明が解決しようとする課題】
【０００６】
しかしながら、図８に示すような従来構成の藻礁５０では、中実の柱状体５２、すなわち、内部までコンクリートが埋め込まれている柱状体５２が使用されている。したがって、当然ながら、藻類の生育領域が、柱状体５２の外表面に限られ、柱状体５２の内部には、藻類が生育できず、その結果、藻類の実質的な生育面積をあまり増加させることができないおそれがある。また、柱状体５２が細い場合には折損するおそれがある。
【０００７】
本発明は上記課題を解決するもので、藻場の単位面積当たりの藻類の実質的な生育面積をより大きく確保可能な縦型藻礁を提供することを目的とする。
【課題を解決するための手段】
【０００８】
上記課題を解決するために本発明の縦型藻礁は、複数の管を床盤から立設させて配設し、管の上端の開口部を通して管の内部に光および海水が入ることを可能に構成したことを特徴とする。この構成により、立設させたものが管であり、管の上端の開口部を通して管の内部に光および海水が入るので、内部が詰まっている柱状体を立設させた場合と比較して、藻場の単位面積当たりの藻類の実質的な生育面積をより大きく確保できる。つまり、内部が詰まっている柱状体では藻類が生育可能な領域が外表面だけに限られるが、これに対して、管は、その外表面に加えて内表面も藻類が生育可能であるので、藻場の単位面積当たりの藻類の実質的な生育面積をより大きく確保できる。
【０００９】
ここで、管としては鋳鉄管を用いることが好適である。このように、管として鋳鉄管を用いる理由の一つは、鋳鉄管から、藻類の成長に適した鉄イオンが供給されるため、藻類の成長が促進されることが挙げられる。二番目の理由としては、鋳鉄管が鋳造により製造されることで、鋳鉄管の内面および外面とも表面に凹凸が形成されるため、表面積が大きくなるとともに藻類の胞子が引っ掛かり易くなり、藻類が発芽する確率が高くなることがある。三番目の理由としては、管が鋳鉄製であって強固であるので破損し難いことである。
【００１０】
また、少なくとも一部の複数本の管の下端部を床盤から下方に突出させた状態で配設してもよい。この構成により、当該縦型藻礁を設置する箇所が、岩場などの凹凸部がある場合でも、比較的安定して設置することができる。すなわち、例えば、管の下端部を床盤から全く突出させておらず、また、床盤の下面が平らである場合には、岩場などの凹凸部がある場所に縦型藻礁を設置すると、凸部の頂部に床盤が載って大きく傾くなど、極めて不安定な姿勢となる。これに対して、本構成によれば、管における床盤より下方に突出した部分が脚部となり、この突出部分を、設置場所における凹部（凸部が無い箇所）や平らな部分に設置することで、比較的安定した状態で当該縦型藻礁を設置することができる。
【００１１】
また、このように、少なくとも一部の複数本の管の下端部を床盤から下方に突出させた状態で配設する場合において、管は、一端部に受口が形成され、他端部に挿口が形成されており、床盤から下方に突出する管の下端部が受口となるように配設することが好ましい。すなわち、管の受口は挿口と比較して直径が大きいとともに、良好な強度を有する構造である場合が多いため、当該縦型藻礁を設置した場合に、挿口側が下方に突出するように配設した場合と比較して、良好な強度を有する状態で当該縦型藻礁を設置することができる。
【００１２】
また、管における床盤の上面の近傍露出箇所に、管の内部と外部とを貫通させる孔部を形成してもよい。この構成によれば、管の上端開口部から内部に流れ込んだ海水が、前記孔部を通して床盤の上面に沿って流れ出し、床盤の上面に砂や泥などの藻類の生育に適さない堆積物が溜まっていた場合でも、前記堆積物が前記孔部から流れ出る海水によって床盤より外部に流されて洗浄される。この結果、床盤上面の洗浄された箇所が藻類の生育に適した状態となり易く、藻類の生育可能な領域が増加する。また、前記孔部を形成することで、管の内部の海水が流動し易くなり、これによって藻類の生育が促進される。
【００１３】
また、産卵用の棒状体を床盤から立設させてもよく、この構成によれば、前記産卵用の棒状体でイカ類等が産卵する可能性を高めることが可能となるので、多機能漁礁としても活用できる。
【発明の効果】
【００１４】
本発明によれば、縦型藻礁を、複数の管を床盤から立設させて配設し、管の上端の開口部を通して管の内部に光および海水が入ることを可能に構成したことにより、藻場の単位面積当たりの実質的な生育面積をより大きく確保できて、より多くの藻類を生育させたり、この藻類を餌とする魚介類の漁礁として良好に実現したりすることができる。
【００１５】
また、管として鋳鉄管を用いることにより、鋳鉄管から、藻類の成長に適した基質である鉄イオンが海中に徐々に溶け出すので、藻類の成長を促進できる。また、鋳鉄管が鋳造により製造されており、鋳鉄管の内面および外面とも表面に凹凸が形成されているため、表面積が大きくなるとともに藻類の胞子が引っ掛かり易くなり、藻類が発芽する確率が高くなる利点がある。さらに、管が鋳鉄製であって強固であるので破損し難い利点もある。
【００１６】
また、複数本の管の下端部を床盤から下方に突出させた状態で配設することで、当該縦型藻礁を設置する面に、岩場などの凹凸部がある場合でも、比較的安定して設置することができる。これにより、特に、別途部品などを設けることによる製造コストの増加などを発生することなく、簡単な構成で縦型藻礁を安定して設置できる。
【００１７】
また、管における床盤の上面の近傍箇所に、管の内部と外部とを貫通させる孔部を形成することにより、床盤の上面に溜まっていた泥などを洗浄することができて、藻類の生育可能な領域を増加することができる。また、前記孔部を形成することで、管の内部の海水が流動し易くなり、これより藻類の生育を促進できる。
【００１８】
また、産卵用の棒状体を床盤から立設させることで、前記産卵用の棒状体でイカ類等が産卵する可能性を高めることが可能となり、多機能漁礁としても活用できる。
【図面の簡単な説明】
【００１９】
【図１】本発明の実施の形態に係る縦型藻礁の全体正面図である。
【図２】同縦型藻礁の平面図である。
【図３】同縦型藻礁の要部拡大断面図である。
【図４】本発明の他の実施の形態に係る縦型藻礁の全体正面図である。
【図５】同実施の形態に係る変形例の縦型藻礁の要部拡大図である。
【図６】同実施の形態に係る他の変形例の縦型藻礁の全体正面図である。
【図７】同縦型藻礁の平面図である。
【図８】従来の縦型藻礁の正面図である。
【発明を実施するための形態】
【００２０】
以下、本発明の実施の形態に係る縦型藻礁を図面に基づき説明する。
図１および図２は、本発明の実施の形態に係る縦型藻礁の全体正面図および平面図である。これらの図に示すように、縦型藻礁１Ａは、複数の管２を床盤（基盤）３から立設させて配設している。そして、管２の上端の開口部２ｋを通して管２の内部に光および海水が入ることを可能に構成している。なお、図１における４は、当該縦型藻礁１Ａが設置される海底部などの設置面である。
【００２１】
ここで、この実施の形態においては、管２（２Ａ、２Ｂ、２Ｃ）はダクタイル製の鋳鉄管とされ、複数種類（この実施の形態では３種類）の口径のものを、長手方向の中間部分の１箇所で、管軸心に対して直交するように２つに切断したものが用いられている。また、床盤３は、鉄筋コンクリート製とされ、平面視略矩形（この実施の形態では平面視略正方形状）で厚みが一定な長方体形状のものが用いられている。そして、各管２（２Ａ、２Ｂ、２Ｃ）が床盤３から鉛直に上方に延びるように立設した姿勢で配設されている。また、この実施の形態では、管２（２Ａ、２Ｂ、２Ｃ）の下端部は床盤３中に埋められている。なお、管２（２Ａ、２Ｂ、２Ｃ）は遠心力鋳造法により製造された鋳鉄管が用いられているが、これに限るものではない。また、管２（２Ａ、２Ｂ、２Ｃ）の下端面が床盤３の下面と同様な位置（いわゆる面一状）になるように配設してもよく、管２（２Ａ、２Ｂ、２Ｃ）の下端面の開口部が床盤３の下方から臨めるように配設してもよい。
【００２２】
この構成によれば、立設させたものが管２（２Ａ、２Ｂ、２Ｃ）であり、管２の上端の開口部２ｋを通して管２の内部に光および海水が入るので、図８に示すように内部が詰まっている柱状体５２を立設させた場合と比較して、藻場の単位面積当たりの藻類の実質的な生育面積をより大きく確保できる。つまり、内部が詰まっている柱状体５２では藻類が生育可能な領域が外表面だけに限られるが、これに対して、図３に示すように、管２（２Ａ、２Ｂ、２Ｃ）は、内部が空間とされており、その外表面に加えて内表面も藻類Ｍが生育可能であるので、藻場の単位面積当たりの藻類の実質的な生育面積をより大きく確保できる。この結果、より多くの藻類を生育させたり、この藻類を餌とする魚介類の漁礁として良好に実現したりすることができる。
【００２３】
また、管２（２Ａ、２Ｂ、２Ｃ）としては鋳鉄管を用いているので、この縦型藻礁１Ａを海底に設置すると、鋳鉄管から、藻類の成長に適した基質である鉄イオンが海中などの藻場に徐々に溶け出し、藻類の成長が促進される。また、鋳鉄管として遠心力鋳造法で製造されたものを用いることで、さらに、より多くの藻類を良好に生育させることができる。
【００２４】
一般に遠心力鋳造法では、高速回転している金型内面に注ぎ込まれた溶鉄は遠心力の作用下で凝固するので、凝固収縮に伴う皺や相対的に比重の小さい部分（微細な空隙を有する部分）が鋳鉄管内表面に発生する。水道管などとして用いる場合、通常これらの部位は、工場内の所定の工程で概ね除去されるが、本発明の製品に鋳鉄管を適用するには、これらの部位を意図的に残しておくことも有効である。一方、金型内面は、鋳造欠陥防止の目的で、規則的な凹凸形状に予め処理(ピーニング処理)されたり、微細な空隙を有する塗型層が形成されたりする。その結果このような金型を使用して鋳造された鋳鉄管の外表面（金型側）は大小の凹凸形状を有する状態となっている。
【００２５】
つまり、鋳鉄管が遠心力鋳造法により製造されることで、鋳鉄管の内面および外面とも表面に凹凸が形成されるため、表面積が大きくなるとともに藻類の胞子が引っ掛かり易くなって、藻類が発芽する確率が高くなり、また、成長時においても、藻類が鋳鉄管の内表面から離れ難く、より多くの藻類を良好に生育させることができる。また、鋳鉄管を用いているので、コンクリート製の柱状体いた場合よりも強固であり、口径の小さな管を用いた場合でも破損し難い利点もある。
【００２６】
また、いろいろな種類の管２（２Ａ、２Ｂ、２Ｃ）を用いることで、いろいろな大きさの空間を設けることができて、稚魚の棲息空間に適した藻場を提供できる。なお、図１では、管２（２Ａ、２Ｂ、２Ｃ）の高さが２種類の場合を図示したが、管２（２Ａ、２Ｂ、２Ｃ）の高さが３種類以上異なるように配設したり、管の太さが４種類以上となるように配設したりしてもよい。
【００２７】
図４は本発明の他の実施の形態に係る縦型藻礁の全体正面図である。
図４に示すように、この実施の形態に係る縦型藻礁１Ｂにおいては、一部の複数本の管２（２Ａ、２Ｂ、２Ｃ）の下端部を床盤３から下方に突出させた状態で配設している。なお、この実施の形態では、床盤３から下方に突出させた状態で配設している管２（２Ａ、２Ｂ、２Ｃ）は、その下端部が床盤３からの下方への突出寸法が同様な寸法とされている。
【００２８】
また、図１〜図３に示す上記実施の形態も含めて、この実施の形態においても、管２（２Ａ、２Ｂ、２Ｃ）として、一端部に受口２ｕが形成され、他端部に挿口２ｓが形成されているものが用いられているが、特にこの実施の形態においては、床盤３から下方に突出させた状態で配設している管２（２Ａ、２Ｂ、２Ｃ）については、床盤３から下方に突出する管２（２Ａ、２Ｂ、２Ｃ）の下端部が受口となるように配設されている。
【００２９】
この構成により、当該縦型藻礁１Ｂを設置する設置面４が、図４に示すように、岩場などの凹凸部がある場合でも、当該縦型藻礁１Ｂを比較的安定して設置することができる。すなわち、図１に示すように管２（２Ａ、２Ｂ、２Ｃ）の下端部を床盤３から全く突出させておらず、また、床盤３の下面が平らである場合には、岩場などの凹凸部がある設置面４に縦型藻礁を設置すると、凸部５の頂部に床盤３が載って大きく傾くなど、極めて不安定な姿勢となる。これに対して、本構成によれば、管２（２Ａ、２Ｂ、２Ｃ）における床盤３より下方に突出した突出部２ｔが脚部となり、この突出部２ｔを、設置面４における凹部（凸部が無い箇所）や平らな部分に設置することで、比較的安定した状態で当該縦型藻礁１Ｂを設置することができる。
【００３０】
また、管２（２Ａ、２Ｂ、２Ｃ）における床盤３の下面からの突出寸法を変更することで、岩場などの凹凸部の凹凸度合いに容易に対応することも可能である。そして、床盤３用の脚部を別途に設けなくて済むので、別途部品などを設けることによる製造コストの増加などを発生することなく、簡単な構成で縦型藻礁１Ｂを安定して設置できる利点もある。また、縦型藻礁１Ｂが傾斜している設置面に配置される場合に、この傾斜度合いに対応させて管２（２Ａ、２Ｂ、２Ｃ）の下端部の突出寸法を変更することで、比較的容易に床盤３を略水平に設置できる利点も有する。
【００３１】
また、上記構成によれば、床盤３から下方に突出する管２（２Ａ、２Ｂ、２Ｃ）の下端部が受口２ｕとなるように配設されているので、良好な強度を有する状態で当該縦型藻礁１Ｂを設置することができる。すなわち、管２の受口２ｕは挿口２ｓと比較して直径が大きいとともに、良好な強度を有する構造である場合が多いため、当該縦型藻礁１Ｂを設置した場合に、挿口側が下方に突出するように配設した場合と比較して、良好な強度を有する状態で当該縦型藻礁を設置することができ、信頼性が向上する。
【００３２】
また、図５に示すように、管２（２Ａ、２Ｂ、２Ｃ）における床盤３の上面の近傍露出箇所（床盤３の上面の直上部）に、管（２Ａ、２Ｂ、２Ｃ）の内部と外部とを貫通させる孔部２ｈを形成してもよい。
【００３３】
この構成によれば、管の上端の開口部２ｋから内部に流れ込んだ海水Ｗが、孔部２ｈを通して床盤３の上面に沿って流れ出し、床盤３の上面に砂や泥などの藻類の生育に適さない堆積物Ｔが溜まっていた場合でも、前記堆積物Ｔが孔部２ｈから流れ出る海水Ｗによって床盤３より外部に流されて洗浄される。この結果、前記堆積物Ｔが除去されて、床盤３の上面の洗浄された箇所が藻類の生育に適した状態となり、藻類の生育可能な領域が増加する。また、管２（２Ａ、２Ｂ、２Ｃ）に孔部２ｈを形成することで、管（２Ａ、２Ｂ、２Ｃ）の内部の海水Ｗが上下に流動し易くなり、これによって藻類の生育が一層促進される。
【００３４】
さらに、図６、図７に示すように、産卵用の棒状体６を床盤３から上方に延びるように多数立設させてもよい。産卵用の棒状体６は、例えば、鉄筋により構成する。このように構成することにより、産卵用の棒状体３でイカ類（例えばアオリイカ）等が産卵する可能性を高めることができるので、多機能漁礁としても極めて良好に活用できる。
【符号の説明】
【００３５】
１Ａ、１Ｂ    縦型藻礁
２、２Ａ〜２Ｃ    管
２ｈ    孔部
２ｋ    開口部
２ｓ    挿口
２ｔ    突出部
２ｕ    受口
３    床盤（基盤）
４    設置面
５    凸部
６    棒状体
Ｗ    海水
【図１】
2014000001.tif 000003
【図２】
2014000001.tif 000004
【図３】
2014000001.tif 000005
【図４】
2014000001.tif 000006
【図５】
2014000001.tif 000007
【図６】
2014000001.tif 000008
【図７】
2014000001.tif 000009
【図８】
2014000001.tif 000010